【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
開始ＯＦＤＭＡフレームのフレーム番号を備える第１のＭＡＰ情報要素（ＩＥ）を有する第１の直交周波数分割多元接続（ＯＦＤＭＡ）フレームに基づく第１の信号を受信することと、
前記第１のＭＡＰ  ＩＥに従って前記開始ＯＦＤＭＡフレーム中のデータバーストに関連するデータ領域の位置を特定することと、
第２のＯＦＤＭＡフレームに基づく第２の信号を受信することであって、前記第２の信号が前記開始ＯＦＤＭＡフレームに基づく信号よりも後で受信される、受信することと、
第２のＭＡＰ  ＩＥを使用せずに前記第２のＯＦＤＭＡフレーム中の異なるデータバーストに関連する前記データ領域の位置を特定することと
を備える方法。
【請求項２】
前記データ領域がダウンリンク（ＤＬ）データ領域であり、前記第１のＭＡＰ  ＩＥがＤＬ−ＭＡＰ  ＩＥである、請求項１に記載の方法。
【請求項３】
前記データ領域がアップリンク（ＵＬ）データ領域であり、前記第１のＭＡＰ  ＩＥがＵＬ−ＭＡＰ  ＩＥである、請求項１に記載の方法。
【請求項４】
前記第２のＯＦＤＭＡフレームのためのアップリンクマップ（ＵＬ−ＭＡＰ）は、前記データ領域の位置が正しく特定されるように前記ＵＬ−ＭＡＰ中のすべてのＭＡＰ  ＩＥの前に現れる開始スロットオフセットを有する、請求項３に記載の方法。
【請求項５】
前記第１のＭＡＰ  ＩＥが、前記開始および前記第２のＯＦＤＭＡフレーム内の前記データ領域の固定位置を判断するための領域情報を有するメッセージを含んでいる、請求項１に記載の方法。
【請求項６】
前記領域情報が、シンボルオフセット、サブチャネルオフセット、シンボルの数、サブチャネルの数、ブースティングレベル、置換タイプ、および反復符号化タイプのうちの少なくとも１つを備える、請求項５に記載の方法。
【請求項７】
前記領域情報が、スロットオフセット、スロット持続期間、および反復符号化タイプのうちの少なくとも１つを備える、請求項５に記載の方法。
【請求項８】
前記メッセージが前記データ領域に関連する割振り間隔と前記開始フレーム番号とを備える、請求項５に記載の方法。
【請求項９】
前記開始ＯＦＤＭＡフレーム中の前記データ領域の位置を特定することが、前記開始フレーム番号と前記領域情報とを使用することを備え、前記第２のＯＦＤＭＡフレーム中の前記データ領域の位置を特定することが、前記第２のフレームが前記割振り間隔に従って前記開始フレームのいくつかのＯＦＤＭＡフレーム後に受信されるように、前記第１のＭＡＰ  ＩＥの前記メッセージ中の前記割振り間隔と前記領域情報とを使用することを備える、請求項８に記載の方法。
【請求項１０】
前記メッセージが、割振り識別子、終了フレーム番号、ダウンリンク間隔使用符号（ＤＩＵＣ）またはアップリンク間隔使用符号（ＵＩＵＣ）、および確認応答（ＡＣＫ）領域情報のうちの少なくとも１つを備える、請求項５に記載の方法。
【請求項１１】
前記第１のＭＡＰ  ＩＥが前記開始ＯＦＤＭＡフレームからのものである、請求項１に記載の方法。
【請求項１２】
ワイヤレス通信のための受信機であって、
第１のＭＡＰ情報要素（ＩＥ）に従って、前記受信機によって受信された第１の信号の開始直交周波数分割多元接続（ＯＦＤＭＡ）フレーム中のデータバーストを備えるデータ領域の位置を特定するように構成された論理であって、前記第１のＭＡＰ  ＩＥが前記開始ＯＦＤＭＡフレームのフレーム番号を備える、論理と、
第２のＭＡＰ  ＩＥを使用せずに、前記受信機によって受信された第２の信号の第２のＯＦＤＭＡフレーム中の異なるデータバーストを備える前記データ領域の位置を特定するように構成された論理であって、前記第２の信号が前記第１の信号よりも後で受信される、論理と
を備える受信機。
【請求項１３】
前記データ領域がダウンリンク（ＤＬ）データ領域であり、前記第１のＭＡＰ  ＩＥがＤＬ−ＭＡＰ  ＩＥである、請求項１２に記載の受信機。
【請求項１４】
前記データ領域がアップリンク（ＵＬ）データ領域であり、前記第１のＭＡＰ  ＩＥがＵＬ−ＭＡＰ  ＩＥである、請求項１２に記載の受信機。
【請求項１５】
前記第１のＭＡＰ  ＩＥが、
前記開始および前記第２のＯＦＤＭＡフレーム内の前記データ領域の固定位置を判断するための領域情報と、
前記開始フレーム番号と、
割振り間隔と
を備えるメッセージを含んでいる、請求項１２に記載の受信機。
【請求項１６】
前記論理が、前記開始フレーム番号と前記領域情報とを使用することによって前記開始ＯＦＤＭＡフレーム中の前記データ領域の位置を特定するように構成され、前記第１のＭＡＰ  ＩＥの前記メッセージ中の前記割振り間隔と前記領域情報とを使用することによって前記第２のＯＦＤＭＡフレーム中の前記データ領域の位置を特定するように構成され、前記第２のフレームが、前記割振り間隔に従って前記開始フレームのいくつかのＯＦＤＭＡフレーム後に受信される、請求項１５に記載の受信機。
【請求項１７】
前記第１のＭＡＰ  ＩＥが前記開始ＯＦＤＭＡフレームからのものである、請求項１２に記載の受信機。
【請求項１８】
ワイヤレス通信のための装置であって、
開始ＯＦＤＭＡフレームのフレーム番号を備える第１のＭＡＰ情報要素（ＩＥ）を有する第１の直交周波数分割多元接続（ＯＦＤＭＡ）フレームに基づく第１の信号を受信するための手段と、
前記第１のＭＡＰ情報要素（ＩＥ）に従って前記開始ＯＦＤＭＡフレーム中のデータバーストを備えるデータ領域の位置を特定するための手段と、
第２のＯＦＤＭＡフレームに基づく第２の信号を受信するための手段であって、前記第２の信号が前記開始ＯＦＤＭＡフレームに基づく信号よりも後で受信される、受信するための手段と、
第２のＭＡＰ  ＩＥを使用せずに前記第２のＯＦＤＭＡフレーム中の異なるデータバーストを備える前記データ領域の位置を特定するための手段と
を備える装置。
【請求項１９】
前記データ領域がダウンリンク（ＤＬ）データ領域であり、前記第１のＭＡＰ  ＩＥがＤＬ−ＭＡＰ  ＩＥである、請求項１８に記載の装置。
【請求項２０】
前記データ領域がアップリンク（ＵＬ）データ領域であり、前記第１のＭＡＰ  ＩＥがＵＬ−ＭＡＰ  ＩＥである、請求項１８に記載の装置。
【請求項２１】
前記第１のＭＡＰ  ＩＥが、
前記開始および前記第２のＯＦＤＭＡフレーム内の前記データ領域の固定位置を判断するための領域情報と、
前記開始フレーム番号と、
割振り間隔と
を備えるメッセージを含んでいる、請求項１８に記載の装置。
【請求項２２】
前記開始ＯＦＤＭＡフレーム中の前記データ領域の位置を特定するための前記手段が、前記開始フレーム番号と前記領域情報とを使用するように構成され、前記第２のＯＦＤＭＡフレーム中の前記データ領域の位置を特定するための前記手段が、前記第１のＭＡＰ  ＩＥの前記メッセージ中の前記割振り間隔と前記領域情報とを使用するように構成され、前記第２のフレームが、前記割振り間隔に従って前記開始フレームのいくつかのＯＦＤＭＡフレーム後に受信される、請求項２１に記載の装置。
【請求項２３】
開始ＯＦＤＭＡフレームのフレーム番号を備える第１のＭＡＰ情報要素（ＩＥ）を有する第１の直交周波数分割多元接続（ＯＦＤＭＡ）フレームに基づく第１の信号と、第２のＯＦＤＭＡフレームに基づく第２の信号とを受信するための受信機フロントエンドであって、前記第２の信号が前記開始ＯＦＤＭＡフレームに基づく信号よりも後で受信される、受信機フロントエンドと、
前記第１のＭＡＰ情報要素（ＩＥ）に従って前記開始ＯＦＤＭＡフレーム中のデータバーストに関連するデータ領域の位置を特定するように構成された論理と、
第２のＭＡＰ  ＩＥを使用せずに前記第２のＯＦＤＭＡフレーム中の異なるデータバーストに関連する前記データ領域の位置を特定するように構成された論理と
を備えるモバイルデバイス。
【請求項２４】
前記データ領域がダウンリンク（ＤＬ）データ領域であり、前記第１のＭＡＰ  ＩＥがＤＬ−ＭＡＰ  ＩＥである、請求項２３に記載のモバイルデバイス。
【請求項２５】
前記データ領域がアップリンク（ＵＬ）データ領域であり、前記第１のＭＡＰ  ＩＥがＵＬ−ＭＡＰ  ＩＥである、請求項２３に記載のモバイルデバイス。
【請求項２６】
複数の直交周波数分割多元接続（ＯＦＤＭＡ）フレーム中のデータ領域の位置を特定するためのプログラムであって、プロセッサによって実行されると、
開始ＯＦＤＭＡフレームのフレーム番号を備える第１のＭＡＰ情報要素（ＩＥ）を有する第１のＯＦＤＭＡフレームに基づく第１の信号を受信することと、
前記第１のＭＡＰ情報要素（ＩＥ）に従って前記開始ＯＦＤＭＡフレーム中のデータバーストに対応するデータ領域の位置を特定することと、
第２のＯＦＤＭＡフレームに基づく第２の信号を受信することであって、前記第２の信号が前記開始ＯＦＤＭＡフレームに基づく信号よりも後で受信される、受信することと、
第２のＭＡＰ  ＩＥを使用せずに前記第２のＯＦＤＭＡフレーム中の異なるデータバーストに対応する前記データ領域の位置を特定することと
を備える動作を実行するプログラムを備えるコンピュータ可読媒体。
【請求項２７】
前記データ領域がダウンリンク（ＤＬ）データ領域であり、前記第１のＭＡＰ  ＩＥがＤＬ−ＭＡＰ  ＩＥである、請求項２６に記載のコンピュータ可読媒体。
【請求項２８】
前記データ領域がアップリンク（ＵＬ）データ領域であり、前記第１のＭＡＰ  ＩＥがＵＬ−ＭＡＰ  ＩＥである、請求項２６に記載のコンピュータ可読媒体。
【請求項２９】
前記第１のＭＡＰ  ＩＥが、
前記開始および前記第２のＯＦＤＭＡフレーム内の前記データ領域の固定位置を判断するための領域情報と、
前記開始フレーム番号と、
割振り間隔と
を備えるメッセージを含んでいる、請求項２６に記載のコンピュータ可読媒体。
【請求項３０】
前記開始ＯＦＤＭＡフレーム中の前記データ領域の位置を特定することが、前記開始フレーム番号と前記領域情報とを使用することを備え、前記第２のＯＦＤＭＡフレーム中の前記データ領域の位置を特定することが、前記第２のフレームが前記割振り間隔に従って前記開始フレームのいくつかのＯＦＤＭＡフレーム後に受信されるように、前記第１のＭＡＰ  ＩＥの前記メッセージ中の前記割振り間隔と前記領域情報とを使用することを備える、請求項２９に記載のコンピュータ可読媒体。
【請求項３１】
開始直交周波数分割多元接続（ＯＦＤＭＡ）フレーム中の前記データ領域の位置を特定するためのＭＡＰ情報要素（ＩＥ）を有する第１のＯＦＤＭＡフレームに基づくデータ領域中のデータバーストを備える第１の信号を送信することであって、前記ＭＡＰ  ＩＥが前記開始ＯＦＤＭＡフレームの開始フレーム番号を備える、送信することと、
第２のＯＦＤＭＡフレーム中の前記データ領域の位置を特定するためのＭＡＰ  ＩＥなしの、前記第２のＯＦＤＭＡフレームに基づく異なるデータバーストを備える第２の信号を送信することであって、前記第２の信号が前記開始ＯＦＤＭＡフレームに基づく信号よりも後で送信される、送信することと
を備える方法。
【請求項３２】
前記データ領域がダウンリンク（ＤＬ）データ領域であり、前記開始ＯＦＤＭＡフレーム中の前記データ領域の位置を特定するための前記ＭＡＰ  ＩＥがＤＬ−ＭＡＰ  ＩＥである、請求項３１に記載の方法。
【請求項３３】
前記データ領域がアップリンク（ＵＬ）データ領域であり、前記開始ＯＦＤＭＡフレーム中の前記データ領域の位置を特定するための前記ＭＡＰ  ＩＥがＵＬ−ＭＡＰ  ＩＥである、請求項３１に記載の方法。
【請求項３４】
前記第２のＯＦＤＭＡフレームのためのアップリンクマップ（ＵＬ−ＭＡＰ）は、前記データ領域の位置が正しく特定されるように前記ＵＬ−ＭＡＰ中のすべてのＭＡＰ  ＩＥの前に現れる開始スロットオフセットを有する、請求項３３に記載の方法。
【請求項３５】
前記ＭＡＰ  ＩＥが、前記開始および前記第２のＯＦＤＭＡフレーム内の前記データ領域の固定位置を確立するための領域情報を有するメッセージを含んでいる、請求項３１に記載の方法。
【請求項３６】
前記領域情報が、シンボルオフセット、サブチャネルオフセット、シンボルの数、サブチャネルの数、ブースティングレベル、置換タイプ、および反復符号化タイプのうちの少なくとも１つを備える、請求項３５に記載の方法。
【請求項３７】
前記領域情報が、スロットオフセット、スロット持続期間、および反復符号化タイプのうちの少なくとも１つを備える、請求項３５に記載の方法。
【請求項３８】
前記メッセージが前記開始フレーム番号と割振り間隔とを備える、請求項３５に記載の方法。
【請求項３９】
前記開始ＯＦＤＭＡフレームに基づく前記信号が前記開始フレーム番号に従って送信され、前記第２のＯＦＤＭＡフレームに基づく前記第２の信号が、前記ＭＡＰ  ＩＥの前記メッセージ中の前記割振り間隔に従って、前記開始ＯＦＤＭＡフレームに基づく前記信号のいくつかのＯＦＤＭＡフレーム後に送信される、請求項３８に記載の方法。
【請求項４０】
前記メッセージが、割振り識別子、終了フレーム番号、ダウンリンク間隔使用符号（ＤＩＵＣ）またはアップリンク間隔使用符号（ＵＩＵＣ）、および確認応答（ＡＣＫ）領域情報のうちの少なくとも１つを備える、請求項３５に記載の方法。
【請求項４１】
前記開始ＯＦＤＭＡフレームが前記第１のＯＦＤＭＡフレームであり、前記第１の信号が前記開始ＯＦＤＭＡフレームに基づく前記信号である、請求項３１に記載の方法。
【請求項４２】
前記開始ＯＦＤＭＡフレームに基づく前記信号が、前記第１の信号よりも後で送信される、請求項３１に記載の方法。
【請求項４３】
ワイヤレス通信のための送信機であって、
開始直交周波数分割多元接続（ＯＦＤＭＡ）フレーム中のデータバーストを備えるデータ領域の位置を特定するためのＭＡＰ情報要素（ＩＥ）を有する第１のＯＦＤＭＡフレームに基づく前記データバーストを備える第１の信号を、基地局から、送信するための論理であって、前記ＭＡＰ  ＩＥが、前記開始ＯＦＤＭＡフレームの開始フレーム番号を備える、論理と、
第２のＯＦＤＭＡフレーム中の異なるデータバーストを備える前記データ領域の位置を特定するためのＭＡＰ  ＩＥなしの、前記第２のＯＦＤＭＡフレームに基づく前記異なるデータバーストを備える第２の信号を、前記基地局から、送信するための論理であって、前記第２の信号が前記開始ＯＦＤＭＡフレームに基づく信号よりも後で送信される、論理と
を備える送信機。
【請求項４４】
前記データ領域がダウンリンク（ＤＬ）データ領域であり、前記開始ＯＦＤＭＡフレーム中の前記データ領域の位置を特定するための前記ＭＡＰ  ＩＥがＤＬ−ＭＡＰ  ＩＥである、請求項４３に記載の送信機。
【請求項４５】
前記データ領域がアップリンク（ＵＬ）データ領域であり、前記開始ＯＦＤＭＡフレーム中の前記データ領域の位置を特定するための前記ＭＡＰ  ＩＥがＵＬ−ＭＡＰ  ＩＥである、請求項４３に記載の送信機。
【請求項４６】
前記ＭＡＰ  ＩＥが、
前記開始および前記第２のＯＦＤＭＡフレーム内の前記データ領域の固定位置を確立するための領域情報と、
前記開始フレーム番号と、
割振り間隔と
を備えるメッセージを含んでいる、請求項４３に記載の送信機。
【請求項４７】
前記論理が、前記開始ＯＦＤＭＡフレームに基づく前記信号を前記開始フレーム番号に従って送信するように構成され、前記第２のＯＦＤＭＡフレームに基づく前記第２の信号を、前記ＭＡＰ  ＩＥの前記メッセージ中の前記割振り間隔に従って前記開始ＯＦＤＭＡフレームに基づく前記信号のいくつかのＯＦＤＭＡフレーム後に送信するように構成された、請求項４６に記載の送信機。
【請求項４８】
前記開始ＯＦＤＭＡフレームが前記第１のＯＦＤＭＡフレームであり、前記第１の信号が前記開始ＯＦＤＭＡフレームに基づく前記信号である、請求項４３に記載の送信機。
【請求項４９】
前記論理が、前記開始ＯＦＤＭＡフレームに基づく前記信号を前記第１の信号よりも後で送信するように構成された、請求項４３に記載の送信機。
【請求項５０】
ワイヤレス通信のための装置であって、
開始直交周波数分割多元接続（ＯＦＤＭＡ）フレーム中のデータ領域の位置を特定するためのＭＡＰ情報要素（ＩＥ）を有し、かつ、前記データ領域中のデータバーストを備える第１のＯＦＤＭＡフレームに基づく第１の信号を、基地局から、送信するための手段であって、前記ＭＡＰ  ＩＥが前記開始ＯＦＤＭＡフレームの開始フレーム番号を備える、送信するための手段と、
第２のＯＦＤＭＡフレーム中の前記データ領域の位置を特定するためのＭＡＰ  ＩＥなしの、前記データ領域中の異なるデータバーストを備える前記第２のＯＦＤＭＡフレームに基づく第２の信号を、前記基地局から、送信するための手段であって、前記第２の信号が前記開始ＯＦＤＭＡフレームに基づく信号よりも後で送信される、送信するための手段と
を備える装置。
【請求項５１】
前記データ領域がダウンリンク（ＤＬ）データ領域であり、前記開始ＯＦＤＭＡフレーム中の前記データ領域の位置を特定するための前記ＭＡＰ  ＩＥがＤＬ−ＭＡＰ  ＩＥである、請求項５０に記載の装置。
【請求項５２】
前記データ領域がアップリンク（ＵＬ）データ領域であり、前記開始ＯＦＤＭＡフレーム中の前記データ領域の位置を特定するための前記ＭＡＰ  ＩＥがＵＬ−ＭＡＰ  ＩＥである、請求項５０に記載の装置。
【請求項５３】
前記ＭＡＰ  ＩＥが、
前記開始および前記第２のＯＦＤＭＡフレーム内の前記データ領域の固定位置を確立するための領域情報と、
前記開始フレーム番号と、
割振り間隔と
を備えるメッセージを含んでいる、請求項５０に記載の装置。
【請求項５４】
前記開始ＯＦＤＭＡフレームに基づく前記信号を送信するための手段をさらに備え、前記開始ＯＦＤＭＡフレームに基づく前記信号を送信するための前記手段が、前記開始ＯＦＤＭＡフレームに基づく前記信号を、前記ＭＡＰ  ＩＥの前記メッセージ中の前記開始フレーム番号に従って前記第１の信号のいくつかのＯＦＤＭＡフレーム後に送信するように構成された、請求項５３に記載の装置。
【請求項５５】
前記第２の信号を送信するための前記手段が、前記第２のＯＦＤＭＡフレームに基づく前記第２の信号を、前記ＭＡＰ  ＩＥの前記メッセージ中の前記割振り間隔に従って前記開始ＯＦＤＭＡフレームに基づく前記信号のいくつかのＯＦＤＭＡフレーム後に送信するように構成された、請求項５３に記載の装置。
【請求項５６】
開始直交周波数分割多元接続（ＯＦＤＭＡ）フレーム中のデータバーストを備えるデータ領域の位置を特定するためのＭＡＰ情報要素（ＩＥ）を有する第１のＯＦＤＭＡフレームを生成し、前記ＭＡＰ  ＩＥが前記開始ＯＦＤＭＡフレームの開始フレーム番号を備えるように構成され、第２のＯＦＤＭＡフレーム中の異なるデータバーストを備える前記データ領域の位置を特定するためのＭＡＰ  ＩＥなしの、前記第２のＯＦＤＭＡフレームを作成するように構成された論理と、
前記第１のＯＦＤＭＡフレームに基づく第１の信号と、前記第２のＯＦＤＭＡフレームに基づく第２の信号と、前記開始ＯＦＤＭＡフレームに基づく信号とを送信するための送信機フロントエンドであって、前記第２の信号が、前記開始ＯＦＤＭＡフレームに基づく前記信号よりも後で送信される、送信機フロントエンドと
を備える基地局。
【請求項５７】
前記データ領域がダウンリンク（ＤＬ）データ領域であり、前記開始ＯＦＤＭＡフレーム中の前記データ領域の位置を特定するための前記ＭＡＰ  ＩＥがＤＬ−ＭＡＰ  ＩＥである、請求項５６に記載の基地局。
【請求項５８】
前記データ領域がアップリンク（ＵＬ）データ領域であり、前記開始ＯＦＤＭＡフレーム中の前記データ領域の位置を特定するための前記ＭＡＰ  ＩＥがＵＬ−ＭＡＰ  ＩＥである、請求項５６に記載の基地局。
【請求項５９】
複数の直交周波数分割多元接続（ＯＦＤＭＡ）フレームを送信するためのプログラムであって、プロセッサによって実行されると、
開始ＯＦＤＭＡフレーム中のデータバーストを備えるデータ領域の位置を特定するためのＭＡＰ情報要素（ＩＥ）を有する第１のＯＦＤＭＡフレームに基づく第１の信号を、基地局から、送信することであって、前記ＭＡＰ  ＩＥが前記開始ＯＦＤＭＡフレームの開始フレーム番号を備える、送信することと、
第２のＯＦＤＭＡフレーム中の異なるデータバーストを備える前記データ領域の位置を特定するためのＭＡＰ  ＩＥなしの、前記第２のＯＦＤＭＡフレームに基づく第２の信号を、前記基地局から、送信することであって、前記第２の信号が前記開始ＯＦＤＭＡフレームに基づく信号よりも後で送信される、送信することと
を備える動作を実行するプログラムを備えるコンピュータ可読媒体。
【請求項６０】
前記データ領域がダウンリンク（ＤＬ）データ領域であり、前記開始ＯＦＤＭＡフレーム中の前記データ領域の位置を特定するための前記ＭＡＰ  ＩＥがＤＬ−ＭＡＰ  ＩＥである、請求項５９に記載のコンピュータ可読媒体。
【請求項６１】
前記データ領域がアップリンク（ＵＬ）データ領域であり、前記開始ＯＦＤＭＡフレーム中の前記データ領域の位置を特定するための前記ＭＡＰ  ＩＥがＵＬ−ＭＡＰ  ＩＥである、請求項５９に記載のコンピュータ可読媒体。
【請求項６２】
前記ＭＡＰ  ＩＥが、
前記開始および前記第２のＯＦＤＭＡフレーム内の前記データ領域の固定位置を確立するための領域情報と、
前記開始フレーム番号と、
割振り間隔と
を備えるメッセージを含んでいる、請求項５９に記載のコンピュータ可読媒体。
【請求項６３】
前記開始ＯＦＤＭＡフレームに基づく前記信号が前記開始フレーム番号に従って送信され、前記第２のＯＦＤＭＡフレームに基づく前記第２の信号が、前記ＭＡＰ  ＩＥの前記メッセージ中の前記割振り間隔に従って、前記開始ＯＦＤＭＡフレームに基づく前記信号のいくつかのＯＦＤＭＡフレーム後に送信される、請求項６２に記載のコンピュータ可読媒体。
【請求項６４】
前記データ領域の割振りの終了を指定するＭＡＰ  ＩＥが受信されるまで、後続のＯＦＤＭＡフレームに基づく１つ以上の後続の信号中の前記データ領域の位置を特定することをさらに備える、請求項１に記載の方法。
【請求項６５】
前記データ領域の割振りの終了を指定するＭＡＰ  ＩＥを備える第３の信号を送信することをさらに備える、請求項３１に記載の方法。